(57)【要約】【課題】核家族化による寂しさや学術的にも認められている癒しの効果、さらに、ペット同居可能住宅の増加等でペットを飼う人口が増えており、このことから、今後犬猫等が使用した模擬砂や小便吸収シート等の廃物は幼児、老人の紙おむつと相まって糞尿廃物の処理は最悪の状態になるであろう。【解決手段】前部に水飲み部、後部に排水口を有し、ペットが前記水飲み部の水を飲むための位置に着いたことを感知反応し、レバー式や電子コントロール式等の給水手段で給水タンクや給水管の給水栓を開き、流出された水が水飲み部を満水にし、排水口から排出できるように構成し、常に新鮮な水の補給と、臭気の軽減された排尿を排出できるよう風呂場の排水口近辺、庭先、便所内に新たに設けたペット用糞尿排出口上に設置するもので、ペットの排尿行為を人間並みのトイレ環境にすることができる。【選択図】　　　図１
2004097089.tif 000002
【特許請求の範囲】
【請求項１】
前部に水飲み部、後部に排水口を有し、ペットが前記水飲み部の水を飲むための位置に着いたことを感知反応する給水手段により、給水タンクや給水管の給水栓を開き、流出した水が前記水飲み部を満水にし、前記排水口から排出されるように構成されたことを特徴とするペット用水洗便所。
【請求項２】
上記水飲み部の両側面に強制案内板を設け、ペットが前記水飲み部の水を飲むために常に正しい位置へ着けるように構成したことを特徴とする請求項１に記載のペット用水洗便所。
【発明の詳細な説明】
【０００１】
【発明が属する技術分野】
本発明は、動物の水飲みと排尿という生理現象を利用したもので、前部に水飲み部、後部に排水口を設け、常時水飲み行為と排尿行為とが同じ位置を取ることで流出された水により、常に新鮮な水の補給と臭気の軽減された排尿をすることができるようにした新規なペット用水洗便所の技術分野に属する物である。
【０００２】
【従来の技術】
従来から飼い猫の排尿行為は砂や模擬砂の入った便器を使用し、飼い犬の排尿行為は散歩の際大自然の大地に直接するのが一般的で、昨今座敷で飼う小型犬などには小便吸収シートなるものも使用されている。
【０００３】
【発明が解決しようとする課題】
しかし、核家族化による寂しさや学術的にも認められている癒しの効果、さらに、ペット同居可能住宅の増加等でペットを飼う人口が増えており、このことから、今後上記犬猫が使用した廃物は幼児、老人の紙おむつと相まって糞尿廃物の処理は最悪の状態になるであろう。
【０００４】
本発明は、上記の問題を解決するためになされたものであって、風呂場の排水口近辺、庭先、便所内に新たに設けたペット用糞尿排出口上に設置し、ペットの排尿行為を人間並みのトイレ環境にしたペット用水洗便所を提供することを目的としている。
【０００５】
【課題を解決するための手段】
上記の目的を達成するための本発明のペット用水洗便所は、前部に水飲み部、後部に排水口を有し、ペットが前記水飲み部の水を飲むための位置に着いたことを感知反応し、レバー式や電子コントロール式等の給水手段で給水タンクや給水管の給水栓を開き、流出された水が水飲み部を満水にし、排水口から排出できるようにしものである。
【０００６】
上記のように構成された本発明のペット用水洗便所は、常に新鮮な水の補給と、臭気の軽減された排尿を排出できるように風呂場の排水口近辺、庭先、便所内に新たに設けたペット用糞尿排出口上に設置するものである。
【０００７】
【発明の実施の形態】
以下、本発明を適用したペット用水洗便所の実施の形態を、図を参照して説明する。
【０００８】
【実施例】
図１、図２、図３、図４は、本発明の第１実施例の図であって、樹脂成形で形成された給水タンク２、受け皿３とスノコ兼レバー４とで構成され、給水タンク２と、給水タンク内の給水栓６による給水手段は人間用水洗便所で広く使用されている方式で、ペットがスノコ兼レバー４上に乗ることで水圧のため閉ざされていた給水栓６のゴムボールが持ち上がり、給水タンク２内の水が受け皿３の前方から流れ出て水飲み部７を満水にし、水飲み部７をあふれ出た水は排水口８から排出されるようになっている。又、ペットが常時正しい水飲み部の水を飲むための位置へ着けるように、水飲み部の両側面に強制案内板５を給水タンク２や受け皿３と一体、若しくは取付手段にて着脱自在になるよう取り付けてある。
【０００９】
例えば、給水タンク２は、１〜２匹の猫や小型犬が使用する一日の水量を鑑み約１０リットルの容量とし、又、受け皿３は猫や小型犬の体長から、横幅３０センチメートル、全長７０〜８０センチメートルの寸法とする。受け皿３の前部に設けられている水飲み部７は水を飲みやすくするがために槽状に形成し、後部には流出した水によって薄められた小便が排出される排水口を形成してある。図４−１、不使用時、図４−２は、スノコ兼レバー４の動作による給水状態を説明する一部拡大断面図である。
【００１０】
図５は、本発明の第２実施例の図であって、公衆便所の男子専用小便器に広く使用されている電子コントロール式給水手段１２を採用するもので、ペットがスノコ１０上で水飲み部の水を飲むための位置に着いたことをセンサー１１が感知反応し、給水管の給水栓を開き、流出した水が受け皿３の水飲み部７を満水にし、排水口８から排出されるように構成されている。また、受け皿３の代わりに便所内や新設したペット専用便所内に受け皿３と同じ機能を有する埋め込み式受け皿１３を設けることと、センサー１４を複数設け流出水量を変えることで人間用水洗便所と同等の大、小便の完全処理もできる。
【００１１】
【発明の効果】
以上のように構成されたペット用水洗便所は、次のような効果を奏する。
【００１２】
請求項１は、動物の生理現象である水飲み行為と排尿行為を利用したもので、ペットの身体が水を飲む時と排尿する時がほとんど同じ位置、若しくはその近くの位置となり、どちらの行為をとった時にも適量の水が流れていることで水への恐怖心や違和感がなくなり、常に新鮮な水の補給と臭気の軽減された排尿をすることができる。即ち、以前のペットの餌は残飯が一般的であったが、昨今はペット専用食のペットフードを愛用している飼い主がほとんどで、中でも固形食が栄養的にも、歯ぐきの健康のためにも良いとのことであるが、十分な水を与えることも重要とされている。このため、小便の回数や量が多くなり屋内での小便の世話も小便のための散歩の回数を増やすことも容易ではない。
【００１３】
請求項２は、ペットが水を飲みたい時、水飲み部の両側面に設けた柵状の案内板によって、水を飲むことが可能な身体の位置を強制的に決定づけ、このことが、排尿する時の身体の位置にと置き換わる。
【図面の簡単な説明】
【図１】本発明を適用したペット用水洗便所の第１実施例を説明する全体斜視図である。
【図２】本発明を適用したペット用水洗便所の第１実施例を説明する展開斜視図である。
【図３】本発明を適用したペット用水洗便所の第１実施例を説明する断面図である。
【図４】本発明を適用したペット用水洗便所の第１実施例の操作状況を説明する一部拡大断面図である。
【図５】本発明を適用したペット用水洗便所の第２実施例を説明する全体斜視図である。
【符号の説明】
１　　ペット用水洗便所（第１実施例）
２　　給水タンク
３　　受け皿
４　　スノコ兼レバー
５　　強制案内板
６　　給水栓
７　　水飲み部
８　　排水口
９　　ペット用水洗便所（第２実施例）
１０　スノコ
１１　センサー
１２　電子コントロール式給水装置
１３　埋め込み式受け皿
１４　センサー（複数）
【図１】
2004097089.tif 000003
【図２】
2004097089.tif 000004
【図３】
2004097089.tif 000005
【図４】
2004097089.tif 000006
【図５】
2004097089.tif 000007